(57)【要約】【課題】アスベストが使用されている空間に供給された処理剤が空間内の隅々に行き渡るようにする。【解決手段】アスベスト２が使用されている空間３内にアスベスト２を封じ込めるための処理剤Ｘを送りこんでアスベスト２を封じ込めるアスベスト封じ込め方法において、空間３の外側と空間３内とに連通する開口部４を介して空間３内に処理剤Ｘを供給する処理剤供給処理と、空間３内の空気を開口部４を介して空間３の外側に排気するための排気処理及び開口部４を介して空間３内に空気を供給するための空気供給処理のうちの１つ以上の処理と、を行う。【選択図】図１
2012197632.tif 000002
【特許請求の範囲】
【請求項１】
アスベストが使用されている空間内にアスベストを封じ込めるための処理剤を送りこんでアスベストを封じ込めるアスベスト封じ込め方法において、
空間の外側と空間内とに連通する開口部を介して空間内に処理剤を供給する処理剤供給処理と、
空間内の空気を開口部を介して空間の外側に排気するための排気処理及び開口部を介して空間内に空気を供給するための空気供給処理のうちの１つ以上の処理と、
を行うことを特徴とするアスベスト封じ込め方法。
【請求項２】
アスベストが使用されている空間内にアスベストを封じ込めるための処理剤を送りこんでアスベストを封じ込めるアスベスト封じ込め処理装置において、
空間の外側と空間内とに連通する開口部を介して空間内に処理剤を供給するための処理剤供給装置と、
空間内の空気を開口部を介して空間の外側に排気するための排気装置及び開口部を介して空間内に空気を供給するための空気供給装置のうちの１つ以上の装置と、
を備えたことを特徴とするアスベスト封じ込め処理装置。
【発明の詳細な説明】
【技術分野】
【０００１】
本発明は、アスベストが使用されている空間内にアスベストを封じ込めるための処理剤を送りこんでアスベストを効率的に封じ込める方法等に関する。
【背景技術】
【０００２】
アスベストは、防火、断熱、防音等を目的として用いられていたが、人体に入ると重大な健康障害を引き起こすことが知られている。
アスベストを処理するための方法としては、アスベストが使用されている空間内に作業者が入ってアスベストを除去する方法が知られている（例えば特許文献１；２等参照）。しかしながら、この方法では、作業者がアスベストの漂う空間内で作業を行うので、作業者の健康への影響が懸念される。そこで、アスベストが使用されている空間内でアスベストを封じ込める方法が知られている。この方法によれば、例えば、鉄骨等の表面にアスベストが吹き付けられている天井裏（空間）にアスベストを固化させる処理剤（アスベストを封じ込めるための処理剤）を噴射ノズルで噴射してアスベストを封じ込める（例えば特許文献３；４等参照）。
尚、アスベストを封じ込めるための処理剤としては、合成樹脂、無機填料、塩素化パラフィン、セルロース膨潤剤、微生物の防除剤、有機溶剤、水を所定の割合で混合させた組成物（例えば特許文献５等参照）、水溶性バインダー（例えば特許文献６等参照）等が知られている。
【先行技術文献】
【特許文献】
【０００３】
【特許文献１】特開平９−２７９８６１号公報
【特許文献２】特開２００８−２４６３４６号公報
【特許文献３】特開２００８−２０２３７７号公報
【特許文献４】特開２００７−２１８０６９号公報
【特許文献５】特公昭６３−５５５４６号公報
【特許文献６】特開２００７−２４７２４０号公報
【発明の概要】
【発明が解決しようとする課題】
【０００４】
しかしながら、特許文献３；４に開示された方法によれば、アスベストが使用されている空間（天井裏、壁裏等）内に処理剤を噴射するだけなので、空間内に噴射された処理剤が空間内の隅々に行き渡らない可能性がある。
【課題を解決するための手段】
【０００５】
本発明に係るアスベスト封じ込め方法は、アスベストが使用されている空間内にアスベストを封じ込めるための処理剤を送りこんでアスベストを封じ込めるアスベスト封じ込め方法において、空間の外側と空間内とに連通する開口部を介して空間内に処理剤を供給する処理剤供給処理と、空間内の空気を開口部を介して空間の外側に排気するための排気処理及び開口部を介して空間内に空気を供給するための空気供給処理のうちの１つ以上の処理と、を行うので、排気処理により、空間内の空気が空間の外側に排気されることで空間が負圧になるので、処理剤が空間内の隅々に行き渡りやすくなったり、空気供給処理により、処理剤が拡散されて空間内の隅々により一層行き渡りやすくなるので、処理剤が空間内の隅々のアスベストに付着しやすくなり、アスベストをより効果的に封じ込めることができる。
本発明に係るアスベスト封じ込め処理装置は、アスベストが使用されている空間内にアスベストを封じ込めるための処理剤を送りこんでアスベストを封じ込めるアスベスト封じ込め処理装置において、空間の外側と空間内とに連通する開口部を介して空間内に処理剤を供給するための処理剤供給装置と、空間内の空気を開口部を介して空間の外側に排気するための排気装置及び開口部を介して空間内に空気を供給するための空気供給装置のうちの１つ以上の装置と、を備えたので、排気装置を駆動することにより、空間内の空気が空間の外側に排気されることで空間が負圧になるので、処理剤が空間内の隅々に行き渡りやすくなったり、空気供給装置を駆動することにより、処理剤が拡散されて空間内の隅々により一層行き渡りやすくなるので、処理剤が空間内の隅々のアスベストに付着しやすくなり、アスベストをより効果的に封じ込めることができる。
【図面の簡単な説明】
【０００６】
【図１】アスベスト封じ込め処理装置を示す断面図（実施形態１）。
【発明を実施するための形態】
【０００７】
実施形態１
図１に示すように、アスベスト封じ込め処理装置１は、アスベスト２が使用されている空間３の外側から開口部４を介して空間３内にアスベスト２を封じ込めるための処理剤Ｘを供給するための処理剤供給装置２０と、空間３内の空気を開口部４を介して空間３の外側に排気するための排気装置３０と、空間３の外側から開口部４を介して空間３内に空気を供給するための空気供給装置４０と、を備える。
尚、空間３は、アスベスト２が使用されている建物１００の天井裏、壁裏、機械室、エレベータシャフト室、駐車場、変電所等である。例えば、図１に示すように、建物１００においてアスベスト２が吹き付けられた鉄骨５が設置されている天井裏３Ａ等である。
また、開口部４は、空間３内と空間３の外側とを区切る区切板１０に形成された貫通孔により形成される。区切板１０は、例えば、図１に示すように、天井裏３Ａと居室１０５とを区切る天井板１０２等である。
また、アスベスト封じ込めとは、処理剤Ｘでアスベスト２の表面を固化させる処理、処理剤Ｘをアスベスト２の内部に浸透させる処理等を言う。
【０００８】
処理剤供給装置２０は、コンプレッサー６と、処理剤出口部としての処理剤噴射ノズル部２１と、処理剤供給管２２と、処理剤収容タンク２３と、処理剤導入管２４と、開閉弁２５と、分岐管２６と、コンプレッサー６に接続された空気導出管７と、受入口が空気導出管７の出口と連通可能に接続された三方分岐管等の分岐装置８とを備える。
処理剤噴射ノズル部２１は、他端に、圧縮空気と処理剤Ｘとを一緒に霧状に放出させる噴射ノズル２１ｔを備える。
処理剤供給管２２及び処理剤導入管２４は、例えば可撓性のホース等により構成される。
処理剤供給管２２は、一端開口が分岐装置８の第１の出口と連通可能に接続され、他端開口が処理剤噴射ノズル部２１の一端開口と連通可能に接続される。
処理剤導入管２４は、一端開口が処理剤収容タンク２３内に収容された処理剤Ｘを吸引可能なように処理剤収容タンク２３と接続される。
また、分割された処理剤供給管２２のそれぞれの端部開口と処理剤導入管２４の他端開口とが分岐管２６を介して連通可能に接続される。
また、分割された処理剤供給管２２のそれぞれの端部開口が開閉弁２５の流路入口と流路出口とに連通可能に接続される。
従って、処理剤供給管２２を介して分岐管２６に圧縮空気が送られると、当該圧縮空気により処理剤収容タンク２３内の処理剤Ｘが処理剤導入管２４を介して処理剤供給管２２内に引き込まれて処理剤噴射ノズル２１ｔから圧縮空気と処理剤Ｘとが一緒に霧状になって天井裏３Ａ等の空間３内に放出噴射される。
【０００９】
排気装置３０は、コンプレッサー６と、排気口部３１と、排気管３２と、空気供給管３３と、水槽３４と、排出管３５と、排出管３５の中途に設けられたフィルター３６と、開閉弁３７と、分岐管３８と、コンプレッサー６に接続された空気導出管７と、受入口が空気導出管７の出口と連通可能に接続された三方分岐管等の分岐装置８とを備える。
排気管３２、空気供給管３３、排出管３５は、例えば可撓性のホース等により構成される。
排気管３２は、一端開口が水槽３４の水中３４ａに位置され、他端開口が排気口部３１の一端開口と連通可能に接続される。排気口部３１の他端開口が排気口３１ｔとなる。
空気供給管３３の一端開口と分岐装置８の第２の出口とが連通可能に接続される。
分割された空気供給管３３のそれぞれの端部開口が開閉弁３７の流路入口と流路出口とに連通可能に接続される。
そして、排気管３２の一端側において分割された排気管３２のそれぞれの端部開口と空気供給管３３の他端開口とが分岐管３８を介して連通可能に接続される。
フィルター３６は、水中３４ａから浮き出た排気を浄化して外部に放出するＨＥＰＡフィルター等のフィルターにより形成される。
よって、空気供給管３３を介して分岐管３８に圧縮空気が送られると、当該圧縮空気により空間３内の空気が排気管３２を介して分岐管３８内に引き込まれて水中３４ａに排出され、かつ、フィルター３６を通して浄化（無害化）された後に外部に排出される。
【００１０】
空気供給装置４０は、コンプレッサー６と、空気出口部としての空気噴射ノズル部４１と、例えば可撓性のホース等により構成された空気供給管４２と、開閉弁４３と、コンプレッサー６に接続された空気導出管７と、受入口が空気導出管７の出口と連通可能に接続された三方分岐管等の分岐装置８とを備える。
空気噴射ノズル部４１は、他端に、圧縮空気を放出させる噴射ノズル４１ｔを備える。
空気供給管４２は、一端開口が分岐装置８の第３の出口と連通可能に接続され、他端開口が空気噴射ノズル部４１の一端開口と連通可能に接続される。
【００１１】
次に上述したアスベスト封じ込め処理装置１を用いたアスベスト封じ込め方法を説明する。尚、ここでは、建物１００の空間３としての天井裏３Ａ内のアスベスト２を封じ込める方法を例にして説明する。
まず、区切板１０としての天井板１０２に開口部４となる貫通孔を形成する。即ち、処理剤噴射ノズル部２１を居室１０５側から天井裏３Ａに貫通させるための開口部４ａ、排気口部３１を居室１０５側から天井裏３Ａに貫通させるための開口部４ｂ、空気噴射ノズル部４１を居室１０５側から天井裏３Ａに貫通させるための開口部４ｃをそれぞれ形成する。
そして、処理剤供給管２２の他端開口と処理剤噴射ノズル部２１の一端開口とを連通可能に接続し、排気管３２の他端開口と排気口部３１の一端開口を連通可能に接続し、空気供給管４２の他端開口と空気噴射ノズル部４１の一端開口とを連通可能に接続した後、処理剤噴射ノズル部２１、排気口部３１、空気噴射ノズル部４１をそれぞれ開口部４ａ、４ｂ、４ｃに通して天井板１０２に固定する。
処理剤噴射ノズル部２１、排気口部３１、空気噴射ノズル部４１を天井板１０２に固定する方法としては、例えば、処理剤噴射ノズル部２１、排気口部３１、空気噴射ノズル部４１の軸の他端開口側にそれぞれ同軸状に取付フランジ９を設けておき、開口部４を形成する貫通孔の居室１０５側の開口を居室１０５側から取付フランジ９で塞いだ状態で当該取付フランジ９を、天井下地としての図外の野縁等にビス止め等で固定したり、天井板１０２の下面１０４に接着テープ等で固定すればよい。
【００１２】
そして、コンプレッサー６を起動させ、開閉弁２５を開放すると、処理剤噴射ノズル部２１に圧縮空気が供給され、処理剤Ｘが圧縮空気に引っ張られて処理剤Ｘと圧縮空気とが一緒に処理剤噴射ノズル２１ｔから天井裏３Ａ（空間３）内に霧状に噴射される。即ち、空間３の外側と空間３内とに連通する開口部４を介して空間３内に処理剤Ｘを供給する処理剤供給処理が行われる。これにより、処理剤Ｘが、鉄骨５等に付着しているアスベスト２、及び、空中に浮遊しているアスベスト２に付着してアスベスト２を封じ込めることができる。
【００１３】
また、開閉弁３７を開放すると、分岐管３８に圧縮空気が供給され、圧縮空気に引っ張られて天井裏３Ａの空気が排気口３１ｔ及び排気管３２を介して分岐管３８内に引き込まれて水中３４ａに放出される。即ち、空間３内の空気を開口部４を介して空間３の外側に排気するための排気処理が行われる。これにより、天井裏３Ａが負圧になるので、処理剤Ｘが天井裏３Ａ内の隅々に行き渡りやすくなり、処理剤Ｘが天井裏３Ａ内の隅々のアスベスト２に付着しやすくなり、アスベスト２をより効果的に封じ込めることができる。
【００１４】
また、開閉弁４３を開放すると、空気噴射ノズル部４１に圧縮空気が供給され、空気噴射ノズル４１ｔから空間３内に圧縮空気が放出される。即ち、開口部４を介して空間３内に空気を供給するための空気供給処理が行われる。これにより、処理剤Ｘが拡散されて天井裏３Ａの隅々により一層行き渡りやすくなり、処理剤Ｘが天井裏３Ａ内の隅々のアスベスト２に付着しやすくなり、アスベスト２をより効果的に封じ込めることができる。
特に、天井裏３Ａ等の空間３が広い場合には、処理剤Ｘを拡散させる効果により、アスベスト２をより効果的に封じ込めることができる。
【００１５】
実施形態２
排気装置３０又は空気供給装置４０のいずれか一方と、処理剤供給装置２０とで構成されたアスベスト封じ込め処理装置１を用いてもよい。
【００１６】
実施形態３
また、開口部４としては、空間３への出入口として予め設けられている既設の開口部、例えば、点検用の点検口、出入口等を利用してもよい。この場合、空間３の外側から当該開口部を塞ぐことが可能な塞板に、塞板を貫通するように排気口部３１及び空気噴射ノズル部４１の１つ以上と処理剤噴射ノズル部２１とを固定するとともに、空間３の外側から当該開口部を塞ぐように塞板を設置して当該塞板を区切板に固定すればよい。
【００１７】
尚、処理剤Ｘとしては、アスベスト封じ込めを実現できるものを使用すればよく、合成樹脂、無機填料、塩素化パラフィン、セルロース膨潤剤、微生物の防除剤、有機溶剤、水を所定の割合で混合させた組成物、又は、水溶性バインダー、あるいは、その他の処理剤を用いてもよい。
【符号の説明】
【００１８】
１  アスベスト封じ込め処理装置、２  アスベスト、３  空間、４  開口部、
２０  処理剤供給装置、２１  処理剤噴射ノズル部（処理剤出口部）、３０  排気装置、３１  排気口部、４０  空気供給装置、４１  空気噴射ノズル部（空気出口部）、
Ｘ  処理剤。
【図１】
2012197632.tif 000003